(57)【特許請求の範囲】
【請求項１】
被覆可能な物質を出し入れするためのスリーブ型収納部を有する装置であって、前記収納部の開いている放出端部には蓋キャップを取り外し可能に装着することができ、前記収納部内には、被覆可能な物質を運搬する内側にねじ切りされたピストン型要素が長手方向に前記放出端部まで移動可能で回転しないように設けられ、前記ピストン型要素は前記収納部の反対側の端に設けられた外側から操作できるソケット型の回転グリップによって移動され、前記回転グリップは前記収納部のスリーブ基の通路開口部に回転可能に取り付けられて軸方向に保持されたスクリュー・スピンドルを含み、このスピンドルは前記ピストン型要素の内側ねじ切りと協働し、前記通路開口部を密閉するために密閉手段が提供される装置において、
スリーブ基（６）の通路開口部（７）の半径方向外側に、スリーブ基（６）及びそれに組み込まれた回転グリップ（１２）の前額面（１２ａ）に密着する、密閉手段を構成する環状の密閉要素（２１）を設置し、
スリーブ基の密閉要素（２１）の領域の半径方向内側又はその領域に少なくとも１つの通気孔（２２）を設け、
そしてスリーブ基（６）と回転グリップ（１２）の前額面（１２ａ）との双方に、決まった回転円周上の少なくとも一箇所の作動位置に、スリーブ基（６）と回転グリップ（１２）の前額面（１２ａ）との間隔を広げて前記収納部内の空気を外部へ放出する間隔拡大手段（２３、２４）を設けることを特徴とする装置。
【請求項２】
間隔拡大手段（２３、２４）が自動的にその作動位置から外れるように構成されることを特徴とする、請求項１に記載の装置。
【請求項３】
間隔拡大手段（２３、２４）が、スリーブ基（６）及び回転グリップ（１２）の前額面（１２ａ）に共通の円周上に配置された止め突起（２３、２４）で形成されていることを特徴とする、請求項１又は２に記載の装置。
【請求項４】
前記止め突起（２３、２４）がその作動位置で互いが不安定な接触状態に配列されるよう斜めに形成されることを特徴とする、請求項３に記載の装置。
【請求項５】
止め突起（２３、２４）が密閉要素（２１）の半径方向外側に配置されていることを特徴とする、請求項３又は４に記載の装置。
【請求項６】
前記密閉要素が輪シール（２１）として形成されていることを特徴とする、請求項１から５のいずれか一に記載の装置。
【請求項７】
スリーブ基（６）が階段状に内側に向かって斜めに構成されており、外側の第１環状ステップ（８）に止め突起（２３）が、及び内側の第２環状ステップ（１０）に通気孔（２２）及び密閉要素（２１）が設置されていることを特徴とする、請求項１から６のいずれか一に記載の装置。
【発明の詳細な説明】
【０００１】
【発明の属する技術分野】
本発明は、被覆可能な物質を出し入れするためのスリーブ型収納部を有する装置に関する。前記収納部の開いている放出端部には蓋キャップを取り外しができるように装着することができ、前記収納部内には、被覆可能な物質を運搬する内側にねじ切りされたピストン型要素が長手方向に前記放出端部まで移動可能で回転しないように設けられている。前記ピストン型要素は前記収納部の反対側の端に設けられた外側から操作できるソケット型の回転グリップによって移動され、その回転グリップは前記収納部のスリーブ基の通路開口部に回転可能に取り付けられて軸方向に保持されたスクリュー・スピンドルを含み、このスピンドルは前記ピストン型要素の内側ねじ切りと協働する。前記通路開口部を密閉するために密閉手段が提供される。
【０００２】
【従来の技術】
本出願のこの種の装置はかなり前から公知であり、例えばＤＥ21 391 23 Ｂ２による構造がある。このような公知の糊スティックは円筒形スリーブを含み、その開いている放出端部には、不使用時にスリーブ内の固形糊が乾燥しないように、取り外し可能な蓋キャップが装着されている。スリーブ内の固形糊はピストン型要素に形成されて、回転しないようにピストン型要素と共にスリーブ内で保持され、スリーブの長手方向に移動できるように配置されており、移動のためにピストン型要素には内側にねじ切りされた穴が中心に設けられ、その中にスクリュー・スピンドルが係合し、そのスピンドルはスリーブのほぼ全長にわたって延び、そして固形糊を貫通して延びており、その端部は一体としてぎざぎざのついたナット型の回転グリップになっており、この回転グリップはスリーブの反対側の端部に回転可能なように取り付けられており、その脚部のところでスリーブから外側に向かって出っ張っており、スリーブをしっかりと保持して回転グリップを一方又は反対方向に回転することによって装置の操作を可能にし、ピストン型要素及びそこに連結している固形糊がスリーブに対して一方又は反対方向に移動し、糊を出したり固形糊をスリーブの中に引っ込めたりすることができる。
【０００３】
この公知の装置は、扱いやすく同時に非常にしっかりとしたものであるために、長い間最良のものであった。しかし、この装置は固形糊が乾いてしまわないようにスリーブ基の通路開口部の領域に密閉手段を設けたために、ピストン型要素が引っ込むと過剰な圧力がスリーブ型収納部内のピストン型要素の背後の領域で生じる可能性があり、その結果被覆可能な物質がピストン型要素から言わば飛び出すように外れて、装置が使用不可能になるという結果にしばしばなり得る。
【０００４】
【発明が解決しようとする課題】
従って本発明の目的は、密閉機能を損なうことなくピストン型要素から被覆可能な物質が外れるのを確実に回避するために、この分野の装置を改良することにある。
【０００５】
【課題を解決するための手段】
上記目的は、本発明により、導入部で記述した種類の装置において、スリーブ基の通路開口部の半径方向外側に、スリーブ基に及びそれに組み込まれた回転グリップの前額面に密着する環状の密閉要素を設置し、スリーブ基の密閉要素の領域の半径方向内側又はその領域に少なくとも１つの通気孔を設け、スリーブ基と回転グリップの前額面の双方に間隔拡大手段を設け、その作動位置において少なくとも一箇所の決まった回転位置でスリーブ基と回転グリップの前額面との間隔を広げることで達成される。
【０００６】
本発明のこのような構成の場合、ピストン型要素が回転しながら引っ込んだときにスリーブ型収納部内でピストン型要素とスリーブ基の間の領域に生じる過剰な圧力を、装置の密閉機能は損なわないまま回避することができる。つまり、少なくとも１回転につき１度、間隔拡大手段はその作動位置に達し、スリーブ基と回転グリップの前額面との間隔を広げるので、密閉要素は一時的に開放され、空気がスリーブ基の通気孔から抜け出るため、過剰な圧力は発生しない。更に回転グリップがスリーブ型収納部に対して回転すると、間隔拡大手段が再び機能しない位置に移動するので、必要な密閉機能は保証される、即ち通気孔は機能する位置に戻った密閉要素によって密閉される。ピストン型要素が引っ込んでいく間に通気孔は断続的に開放されるので、装置の大きさによって同種の通気孔を複数設けることもできる。
【０００７】
装置の操作を容易にするために、前記間隔拡大手段は自動的にその作動位置から外れるように形成されている。例えば、使用者がスリーブ型収納部に対する回転グリップの回転操作をちょうど間隔拡大手段の作動位置で止めた場合、間隔拡大手段はその作動位置から自動的に移動し、完全な密閉機能が確保される。
【０００８】
構造上特に有利な実施の形態では、前記間隔拡大手段がスリーブ基上の及び回転グリップの前額面上の共通の円周上に配置された止め突起で形成されている。ソケット型の回転グリップが回転すると、尖った止め突起が互いにぶつかり、スリーブ基と回転グリップとの間隔が一時的に広がり、密閉がこの瞬間に開放されるので、空気が通気孔から抜け出ることができる。
【０００９】
その場合、好ましくは止め突起が作動位置にあるとき互いに不安定な接触状態になるように、止め突起は斜めに形成される。そうすることによって、密閉機能を損ない得るその作動位置には止め突起は留まらないということが、簡単な方法で達成される。
【００１０】
好ましくは止め突起は密閉要素の半径方向外側に配置され、前記密閉要素は輪シールとして構成される。
【００１１】
更なる好ましい構成上の実施の形態では、前記スリーブ基は内側に向かうに従って階段状に斜めに形成され、前記止め突起は第１の外側環状ステップに設けられ、前記密閉要素は更に内側に設けられた第２ステップに設けられている。この構成のお陰で、上述した要素は装置の内部に設置されるので、外部から保護される。
【００１２】
本発明を以下に図面を参照して例を挙げながら更に詳しく説明する。図１から図３は、本発明による装置を部分的に断面図及び分解図で表している。
【００１３】
【発明の実施の形態】
本発明による被覆可能な物質を出し入れするための装置は、本実施の形態においては糊スティックとして構成されており、つまり前記被覆可能な物質は固形糊である。この装置は勿論のことリップ・スティックとしても構成されることができ、その他の使用も同様に可能である。
【００１４】
本発明による装置は、第一にスリーブ型収納部１を含んでおり（図１参照）、使用時には開いているその上部の放出端部は２で、その反対側の端部は３で示されている。蓋キャップ（図示していない）を戻らないよう密閉するように受け止める役割をする環状止め隆起部５を有する狭まった部分４が、スリーブ型収納部１の放出端部２の近傍の外側に設けられている。
【００１５】
スリーブ型収納部１は、反対側の端部３に中央通路開口部７を有するスリーブ基６を有している。スリーブ基６はこの場合、第１外側環状ステップ８、斜めに延びた移行領域９、更に内側に向かっている第２環状ステップ１０及び通路開口部７の境界となる円錐形の輪領域１１によって、階段状に内側に斜めに構成されている。
【００１６】
スリーブ基の通路開口部７を通ってソケット型回転グリップ１２が収納部１に設置される（図２参照）。そのため、ソケット型回転グリップ１２はその上側に円筒形突出部１３を有し、それは拡大された円錐形領域１４に移行し、そこで好ましくは一体となってスクリュー・スピンドル１５が接続されており、その長さは収納部１の内部の高さにほぼ相当する。
【００１７】
装置を組み立てるために、スクリュー・スピンドル１５を有する回転グリップ１２は下から通路開口部７を通って収納部１へと差し込まれ、定位置でカチッと止まり、円錐形領域１４がスリーブ基６の輪領域１１に対して引っかかるように密着しており、即ち、回転グリップ１２はスリーブ型収納部１に対して回転できるようにし、同時に軸方向に僅かな遊びを有して収納部１に保持されている。
【００１８】
回転グリップ１２が収納部１に組み込まれるときに、内側ねじ切り１７が施されたピストン型要素１６（図３参照）が収納部１に差し込まれてスクリュー・スピンドル１５にねじ込まれる。ピストン型要素１６は外側に突起１８を有しており、それは収納部１の高さよりも伸びている溝１９に嵌るので、ピストン型要素１６が収納部１に対して回転しないことが確保される。スクリュー・スピンドル１５が回転すると、ピストン型要素１６は収納部１に対して長手方向に一方方向またはその反対方向に移動する。
【００１９】
ピストン型要素１６は、被覆可能な固形物、例えば糊（図示していない）を搭載する受け入れ領域２０を内側に有している。
【００２０】
蓋キャップが装着されているときに装置の確実な密閉性を確保するために、スリーブ基の好ましくはその第２環状ステップ１０に、及び回転グリップ１２の密閉表面２１ａに密着する環状輪シール２１（図２参照）が、通路開口部７の半径方向外側に設置される。この輪シール２１の領域にスリーブ基６は、その第２環状ステップ１０に少なくとも１つの通気孔２２を有しており（図１参照）、それは通常は輪シール２１によって密閉状態で塞がれている。この場合、通気孔２２はこの実施の形態では穴として形成されているが、選択的に溝またはそれに類似するものとして形成することもできる。
【００２１】
通気孔２２を開放するために、間隔拡大手段がスリーブ基６と回転グリップ１２の前額面１２ａの双方に設置され、その手段はその作動位置において少なくとも１箇所の決まった回転位置でスリーブ基６と回転グリップ１２の前額面１２ａとの間隔が広がるので、輪シール２１が外され通気孔２２が一時的に開放されるようにする。
【００２２】
間隔拡大手段は本実施の形態においては、好ましくはスリーブ基の移行領域９の共通の円周上に配置された止め突起２３がスリーブ基６に、及び更なる止め突起２４が回転グリップ１２の前額面１２ａに形成されている（図１及び図２参照）。止め突起２３及び２４は、この場合好ましくは同一に形成されており同一の円周上に夫々が対象となるように配置されているので、一箇所の決まった回転位置で同時に互いが接触し、スリーブ基６と回転グリップ１２の前額面１２ａとの軸方向の間隔を広げる。このことは、以下の重要な有効性を提供する。
【００２３】
装置を作動させた後、被覆可能な固形物、例えば固形糊を再び引っ込めさせる場合、回転グリップ１２を適切な方向に作動させ、ピストン型要素１６をそこに設置されている被覆可能な固形物と共に収納部１の内部に戻す。このとき過剰な圧力がピストン型要素１６とスリーブ基６との間に発生し得、極端な場合には被覆可能な固形物がピストン型要素１６から外れて装置が使用不可能になるという結果になり得る。しかし、本発明による構成では、止め突起２３及び２４が必ず回転ごとに接触し、その際にスリーブ基６と回転グリップ１２の前額面１２ａとの軸方向の間隔が広がることによって、輪シール２１が外れて通気孔２２が開放されるので、収納部１のこの領域にかかった過剰な圧力を消失させることができる。
【００２４】
しかし、引き続いて装置の確実な密閉を再度確保するためには、突起２３及び２４は好ましくはその作動位置で互いが不安定な接触状態になるよう配列されるように形成され、即ち、たとえ偶然に内部での回転が終わった後に止め突起２３及び２４が互いに接触し、そのために通気孔２２が開放されるかもしれないとしても、止め突起２３、２４は自動的に係合状態から再び外れ、輪シール２１は再び機能するようになる。
【００２５】
本発明は明らかに例示された実施の形態に制限されるものではない。更なる実施の形態が本発明の概念を逸脱することなく可能である。従って、場合によっては複数の通気孔２２を設けることもでき、間隔拡大手段は別の方法でも形成することができる。
【図面の簡単な説明】
【図１】  本発明にかかる装置を構成するスリーブ型収納部の断面斜視図である。
【図２】  本発明にかかる装置を構成するソケット型回転グリップとそれに接続されたスクリュー・スピンドル１５、並びに輪シールの斜視図である。
【図３】  本発明にかかる装置を構成するピストン型要素の断面図である。
【符号の説明】
１…スリーブ型収納部、２…放出端部、３…端部、４…狭まった部分、５…止め隆起部、６…スリーブ基、７…通路開口部、８…第１環状ステップ、９…移行領域、１０…第２環状ステップ、１１…円錐輪領域、１２…回転グリップ、１２ａ…前額面、１３…円筒形突出部、１４…円錐形部分、１５…スクリュー・スピンドル、１６…ピストン型要素、１７…半径方向内側ねじ切り、１８…突起、１９…溝、２０…受け入れ領域、２１…輪シール、２２…通気孔、２３,２４…止め突起。
【図１】
0004683794.tif 000002
【図２】
0004683794.tif 000003
【図３】
0004683794.tif 000004